(57)【要約】【課題】穀物類などの食料や飼料、あるいは水に濡れることで損傷を受けるものを保管・貯蔵・搬送する際に用いる梱包袋であって、穀物類等を梱包したままで水に濡れたか否かの履歴がその外観から容易に判定できる梱包袋を提供する。【解決手段】袋の一部あるいは全部に、水に濡れた際に濡れた個所が色移動する性質を有する着色繊維が使用されている梱包袋。【選択図】なし【特許請求の範囲】
【請求項１】
水に濡れることで損傷を受けるものを貯蔵あるいは搬送する際に梱包する袋において、その袋の一部あるいは全部に、水に濡れた際に濡れた個所が色移動する性質を有する着色繊維が使用されている梱包袋。
【請求項２】
着色繊維が、着色剤を担持させたマルチフィラメントあるいは紡績糸である請求項１に記載の梱包袋。
【請求項３】
着色繊維が、マルチフィラメントあるいは紡績糸に着色剤を含有する水溶性糊剤をコーティングしたものである請求項１または２に記載の梱包袋。
【請求項４】
部分的な水濡れにより浸透した水により、着色した繊維の着色剤が移動して局部的に高濃度となり、元の色より濃い色の部分ができる構造を有する請求項１〜３のいずれかに記載の梱包袋。
【請求項５】
袋が米用袋である請求項１〜４のいずれかに記載の梱包袋。
【請求項６】
袋がポリプロピレン製のテープヤーンからなる織物で、その経糸または緯糸の一部として着色繊維が使用されている請求項１〜５のいずれかに記載されている梱包袋。
【請求項７】
袋が白または白に近い色を有し、着色繊維が袋の色とは異なる非白色系の色を有している請求項１〜６のいずれかに記載された梱包袋。
【発明の詳細な説明】
【技術分野】
【０００１】
本発明は、穀物類などの食料や飼料、あるいは水に濡れることで損傷を受けるものを保管・貯蔵・搬送する際に用いる梱包袋に関するものであり、穀物類等を梱包したままで水に濡れたか否かの履歴がその外観から容易に判定できる梱包袋に関するものである。
【背景技術】
【０００２】
現在、食料や飼料、特に穀物類を保管・貯蔵・搬送する際に用いる穀物袋としては、樹脂フィルムや、ポリプロピレン製のテープヤーンからなる織物生地が用いられている。また古来の麻紡績糸による麻の織物生地や、またマルチフィラメントまたはモノフィラメントからなる編物生地、さらには不織布生地が用いられる場合もある。これらの穀物袋は、内地での流通はもちろん、国家間での貿易の際にも用いられており、食料や飼料としての穀物の需給に深く関わるものである。
【０００３】
昨今の自然災害、特に豪雨や洪水による被害の一つとして、あるいは日常的な物流中のアクシデントとして、保管・貯蔵あるいは搬送中の穀物袋が水に濡れることが挙げられる。水に濡れた穀物袋中の内容物は、水濡れにより変質あるいはカビ発生により損傷を受け、また洪水などの水が浸水したものについては有害物質が浸透している場合もあり、もはや本来の目的の食料や飼料として使用できなくなる。
【０００４】
従来より、穀物袋として種々のものが提案されており、袋に詰めた穀物が濡れないように特別な工夫を加えた袋についても色々と提案されている［例えば特開２００４−１３１１７７（特許文献１）、特開２００４−３５２２９４（特許文献２）等］。
【０００５】
【特許文献１】特開２００４−１３１１７７（特許請求の範囲及び００２６段落）
【特許文献２】特開２００４−３５２２９４（特許請求の範囲及び００４２段落）
【０００６】
しかしながら、現在使用されている穀物袋は、樹脂フィルム製の防水仕様のものを除けば、織物生地や編物生地、不織布生地でできており、通水性があるため、水の浸透を防ぐことはできない。よって、水に濡れた穀物袋は、濡れていない正常品と区分する必要があるが、濡れた後に乾燥してしまった場合、濡れた履歴があるかどうかは、開封してみないと判別できないのが現状である。また、開封したとしても穀物の外観からは水濡れによる異常が判定できない場合もあり、変質したり、有害物質が浸透している懸念のある穀物を、間違って正常品として流通してしまう可能性もあった。
【発明の開示】
【発明が解決しようとする課題】
【０００７】
本発明は、上記の問題点を解消することができる梱包袋を提供するものであり、すなわち、本発明は、穀物など食料や飼料、あるいは他の水に濡れると損傷を受けるものを梱包する袋において、過去において水に濡れたか否かが明らかに判別でき、容易に水に濡れていない正常品との区分ができる梱包袋を提供することを目的とする。
上記したように、従来の技術は、内部に充填した穀物等が水に濡れないように袋に特殊な工夫を加えたものが主体であり、水に濡れたか否かの履歴が判別できるような工夫を加えた梱包袋に関しては、提案はもとより、そのような課題についても知られていない。
【課題を解決するための手段】
【０００８】
上記の課題を解決するための梱包袋として、本発明は、水に濡れることで損傷を受けるものを貯蔵あるいは搬送する際に梱包する袋において、その袋の一部あるいは全部に、水に濡れた際に濡れた個所が色移動する性質を有する着色繊維が使用されている梱包袋を提供するものである。
【０００９】
そして、好ましくは、着色繊維が、着色剤を担持させたマルチフィラメントあるいは紡績糸である上記梱包袋であり、また、着色繊維が、マルチフィラメントあるいは紡績糸に着色剤を含有する水溶性糊剤をコーティングしたものである上記の梱包袋である。
【００１０】
さらに本発明は、部分的な水濡れにより浸透した水により、着色した繊維の着色剤が移動して局部的に高濃度となり、元の色より濃い色の部分ができる構造を有する上記梱包袋であり、そして本発明の梱包袋の好ましい用途として、穀物袋が挙げられる。
さらに、本発明の好適な例として、梱包袋がポリプロピレン製のテープヤーンからなる織物で、その経糸または緯糸の一部として上記着色繊維が使用されている場合が挙げられ、そして、梱包袋が白または白に近い色を有し、着色繊維が非白色系の色を有している場合が挙げられる。
【００１１】
このように本発明の梱包袋は、その袋の一部あるいは全部に、水に濡れた際に濡れた個所が色移動する性質を持つ着色繊維を使用したものであって、水濡れにより該当部分が脱色したり、水濡れにより色が着色繊維から移動して近辺の繊維まで滲み出て着色することにより、さらには部分的な水濡れにより浸透した水により、着色繊維の着色剤が毛細管現象によって移動して局部的に高濃度となり、元の色より濃い色の部分ができることにより、容易にその水濡れの履歴が判別できるものである。
【００１２】
水に濡れた際に濡れた個所が色移動する性質を持つ着色した繊維としては、着色剤を繊維表面に担持させた繊維を用いることができる。そして、着色剤としては、水濡れの際に脱落または水の浸透とともに移動しやすいように、水と親和性が高く容易に水に溶解または分散しやすいものが好ましく、顔料、染料いずれでもよいが、好ましくは水溶性染料である。着色剤の色としては色移動が判別できるならば特に限定されないが、色移動の判別のしやすさの点で、赤、青、緑、紫等の有彩色が推奨される。好ましくは、梱包袋に充填する穀物の安全性等を考慮して食品添加物として認められている水溶性着色剤である。
【００１３】
また、本発明において、梱包袋に用いられる着色繊維としては、常温で水溶解する繊維中に着色剤が添加されていてもよい。たとえば、原着染めされた常温水溶性のポリビニルアルコール系繊維が挙げられる。
もちろん、着色繊維に用いられる着色剤としては、梱包袋の色と異なる色が好ましいが、濡れたことにより生じた着色剤の移動が判別できるような色調であるならば、同色系の色でも問題ない。色移動が明白判別できるという点からは、梱包袋の色調と着色剤との彩度が大きく相違している場合である。
【００１４】
また、担持させる繊維は種々用いることができるが、マルチフィラメント糸、紡績糸が好適に用いることができる。これは、これらの繊維は微細な複数の繊維から構成されており、その微細な繊維の隙間に色素を担持させることが容易なためである。好ましくは、担持させる前は白色またはそれに近い色を有していることが、水濡れの判別のしやすさの点で好ましい。
【００１５】
マルチフィラメントとしては、１〜１０デシテックスの繊維を１０〜３００本集束させたものが色移動の判別しやすさの点で好ましく、特に２〜１０デシテックスの繊維を５０〜２００本集束したマルチフィラメント糸が好ましい。またこのマルチフィラメント糸のトータル太さとしては、３００〜２２００デシテックスが好ましい。また、紡績糸を用いる場合には、２〜１０番手の太さのものが好ましい。
【００１６】
本発明において、マルチフィラメント糸または紡績糸を１本一定間隔をおいて、梱包袋を構成する糸に打ち込んでもよいが、１本では色の移動が判別し難い場合があり、さりとて、太いマルチフィラメント糸または紡績糸を用いると、その部分が盛り上がり袋の強度の点で好ましくない場合がある。このような場合には、上記マルチフィラメント糸または紡績糸を複数本並列に並べた状態で織物に打ちこまれているようにすれば、色移動が明白に判別できる着色繊維幅とでき、好ましい。具体的には、着色糸を３〜１０本並列に横に並べた状態で経糸の一部または緯糸の一部として織物を構成しているのが好ましい。
【００１７】
さらに、着色剤は、常温水溶性のバインダー樹脂に分散させた状態で、繊維に担持させることもでき、このような担持方法を用いることにより着色剤が、単なる接触で繊維表面から容易に脱落することを防ぐことができ好ましい。水溶性のバインダー樹脂としては、水溶性であれば種々のもの用いることができるが、たとえば織物の経糸サイジングに用いられるポリビニルアルコール系、でんぷん系、アクリル系、ポリオキシエチレンポリオキシポリピレンで代表されるポリエーテル系などの糊剤を用いることもできる。
【００１８】
また、食料や飼料向けの穀物袋の場合には、食料や飼料として使用が認可されている着色剤や水溶性バインダー樹脂、また必要により防カビ剤を着色剤とともに用いることができる。
【００１９】
着色剤を担持したマルチフィラメントや紡績糸を用いて本発明の梱包袋の代表例である穀物袋を製造する際、織物生地であれば経糸の一部及び／または緯糸の一部に用い、ボーダー状（縞状：経糸あるいは緯糸の一方に使用した場合）あるいはグリッド状（格子状：経糸と緯糸の両方に使用した場合）の交織構成とすることができ、また経糸全部かつ／または緯糸の全部に使用することもできる。編物であれば、構成糸状の一部に用いボーダー状とするか、あるいは全部に用いることもできる。
また梱包袋の一部、例えば水濡れを起こしやすい四隅や袋の中央部等に着色剤を担持させた繊維を重点的に配することもでき、さらには梱包袋の水濡れを生じやすい個所に、着色剤を担持させた繊維を付着させたり、着色剤を担持させた繊維を配した布帛を貼り付けたり縫い付けて袋に一体化してもよい。
【００２０】
本発明において、袋全体の色としては、不透明であり、かつ白または白に近い色であることが、色移動の判別しやすくの点で好ましい。そして、本発明の袋は穀物袋として好ましいが、通常、穀物袋としては、２０〜４０ｋｇ程度の穀物を充填した縦５０〜１００ｃｍ、横４０〜６０ｃｍ程度の大きさの袋が一般的であり、本発明においても、好適な袋として、この大きさの袋が挙げられる。袋を構成する布帛としては、織物、編物、不織布、さらにはこれらの複合体等が挙げられるが、強度の点で、さらに積み上げた場合に型崩れを生じ難いことから、織物がもっとも好ましい。
【００２１】
布帛を構成する繊維としては、ジュートで代表される麻、木綿等の天然繊維、ポリエステル系繊維、ナイロン系繊維、ポリエチレン、ポリプロピレン等で代表されるポリオレフィン系繊維等が挙げられるが、中でも、ポリプロピレン系繊維が積み重ねても崩れ難い点で好ましく、特に、幅が１〜１０ｍｍの断面が扁平なテープヤーンが好ましい。テープヤーンの太さとしては３００〜２２００デシテックスの範囲が強度の点及び織物の作製しやすさの点でもっとも好ましい。そして、このようなテープヤーンを経糸及び緯糸として、糸間隔が生じないように密に織り込んだ織物が好ましい。織物の織構造としては、もっとも織物構成繊維の強度が発揮できる平織が推奨される。
【００２２】
このようなテープヤーンからなる織物の経方向または緯方向の２〜２０ｃｍに少なくとも一本の着色繊維からなる糸、好ましくは着色マルチフィラメント糸が配されているようにするのが好ましい。テープヤーンとしては、白色またはそれに近い色（灰色、黄色、淡い茶色等）に近い色が好ましく、一般にポリプロピレンテープヤーンを製造する際に延伸するとヤーンの色が白い不透明な色となるため、このテープヤーンを用いるのは好ましい。
【００２３】
本発明の袋は、米、麦、大豆、とうもろこし、そば、馬鈴薯等で代表される穀物用の袋として適しているが、穀物袋の他に、コーヒー豆、アーモンド、ナッツ類、乾物（例えば乾しいたけ、レーズン、乾なまこ、乾あわび、乾海老、乾わかめ、乾魚、乾果物）、繊維等の包装袋としても使用できる。
【００２４】
また、本発明では、上記したように梱包袋を製造する際に、その袋の生地を構成する繊維に一部として前記着色繊維を用いるのが好ましいが、それ以外に袋を製造した後に、袋に特定の模様状に着色剤を塗布し、構成繊維の少なくとも一部を着色する方法を用いても良い。もちろんこの場合においても、着色剤を水溶性バインダーにブレンドした水溶液の状態で使用してもよい。ただ、このように、袋表面に着色剤を単に付与するだけでは、袋同士が擦れ合うことにより、あるいは人が触れることにより、容易に色落ちが生ずる場合があることから、好ましくは、前記したように、着色したマルチフィラメントを、梱包袋を構成する糸の一部として使用する場合である。
【産業上の利用可能性】
【００２５】
本発明の梱包袋は、水に濡れると濡れた部分の色素が容易に脱落し、着色前の繊維本来の色となるため、そのまま乾燥した後も濡れた部分が脱色状態で残ることとなり、水濡れの履歴が目視により簡単に確認できる。さらに着色した繊維として、多数の繊維で構成されているマルチフィラメント糸、紡績糸を使用している場合には、浸透した水は毛細管現象により生地中に拡散し、その際に濡れた部分の着色剤（色素）を移動させ、水の浸透とともに浸透の最前線で色素が高濃度となる。これは、織物の染色加工で「きわづき」として知られている状態であり、生地が部分的に濡れて「シミ」となったその周辺に色素が集中する現象である。このように、部分的に色素が高濃度になることで、より鮮明に濡れた履歴が判別し易くなる利点がある。
したがって本発明の梱包袋は、穀物袋として、飼料袋として、さらにそれ以外にも、水に濡れることにより、充填物が変質したり、変性するようなものを充填する袋として活用できる。
【発明を実施するための最良の形態】
【００２６】
以下に本発明の実施例を示すが、本発明はこれに限定されるものではない。
【００２７】
実施例１
コーンスターチ１ｋｇに食紅（赤色１０２号）２．０ｇおよび防カビ剤としてパラベンを１．０ｇ配合してコーンスターチ濃度１０重量％の加熱水溶液を作製した。この水溶液を、市販のポリエステルマルチフィラメント糸条（５５０ｄｔｅｘ−１９２ｆｉｌ）に、固形固着分が５重量％となるようにコーティングして着色マルチフィラメント糸を得た。
次に、５５０ｄｔｅｘのポリプロピレン製テープヤーン（繊維幅２ｍｍ、色：白色）を平織の緯糸及び経糸に用い（織密度：経１２本／インチ、緯１２本／インチ）、そして緯糸には、上記着色マルチフィラメント糸を５本連続並列に並べ、この５本連続並列が２５ｍｍの繰り返しパターンで来るように打ち込み、ボーダー状の生地を得た。
【００２８】
この生地で梱包袋（縦７２ｃｍ、横５０ｃｍ）を作製し、内部に米３０ｋｇを収納したのち水をかけたところ、水のかかった部分の着色マルチフィラメント糸の色が移動脱落した。また水はボーダー状に打ち込んだ着色マルチフィラメント糸の緯糸に沿って浸透し、浸透した部分の境界は濃い赤色のきわづきとなり、遠目にも判定しやすい状態となった。